(57)【要約】【課題】前面カバーに取り付けられた指紋センサ等の生体認証センサの検出面に利用者の指が所定の押付力で押し付けられても、前面カバーからの生体認証センサの外れを防止することが可能なカードリーダを提供する。【解決手段】このカードリーダは、カード２の挿入口３が形成される前面カバー６と、利用者の指先から利用者の生体認証データを取得するための生体認証センサ８とを備えている。生体認証センサ８は、前面カバー６の上面で生体認証センサ８の検出面が露出するように前面カバー６に取り付けられている。前面カバー６には、生体認証センサ８を下側から支持する支持部材１２が取り付けられている。【選択図】図２
2020091599.tif 000002
【特許請求の範囲】
【請求項１】
カードに記録されたデータの読取りおよび前記カードへのデータの記録の少なくともいずれか一方を行うカードリーダにおいて、
前記カードの挿入口が形成される前面カバーと、前記カードリーダの利用者の指先から前記利用者の生体認証データを取得するための生体認証センサとを備え、
前記挿入口に挿入された前記カードの厚さ方向の一方を第１方向とし、第１方向の反対方向を第２方向とすると、
前記生体認証センサは、前記前面カバーの第１方向側の面で前記生体認証センサの検出面が露出するように前記前面カバーに取り付けられ、
前記生体認証センサを第２方向側から支持する支持部材が前記前面カバーと一体で形成されているか、または、前記前面カバーと別体で形成された前記支持部材が前記前面カバーに取り付けられていることを特徴とするカードリーダ。
【請求項２】
前記生体認証センサは、前記利用者の指紋を検出する前記検出面を有する指紋センサであることを特徴とする請求項１記載のカードリーダ。
【請求項３】
前記挿入口への前記カードの挿入方向と前記カードの厚さ方向とに直交する方向を前記カードの幅方向とすると、
前記支持部材は、前記カードの幅方向における前記生体認証センサの両端部を支持していることを特徴とする請求項１または２記載のカードリーダ。
【請求項４】
前記生体認証センサの第２方向端には、前記生体認証センサの外周側に広がる鍔部が形成され、
前記前面カバーには、前記生体認証センサの第１方向側の部分が配置される貫通穴と、前記貫通穴を囲むとともに前記鍔部の第１方向側の面が接触する接触面とが形成され、
前記支持部材は、前記鍔部の第２方向側の面に接触していることを特徴とする請求項３記載のカードリーダ。
【請求項５】
前記支持部材は、前記前面カバーと別体で形成され、
前記前面カバーには、前記支持部材の第２方向側の面が接触する第２接触面が形成されていることを特徴とする請求項４記載のカードリーダ。
【請求項６】
前記支持部材の第１方向側の面および前記接触面は、前記カードの挿入方向側に向かうにしたがって第１方向側に向かって傾斜する傾斜面となっており、
前記支持部材の第２方向側の面および前記第２接触面は、前記カードの挿入方向側に向かうにしたがって第２方向側に向かって傾斜する傾斜面となっていることを特徴とする請求項５記載のカードリーダ。
【請求項７】
前記生体認証センサの第２方向側の面の、前記カードの幅方向における前記生体認証センサの一端部を支持する前記支持部材と前記カードの幅方向における前記生体認証センサの他端部を支持する前記支持部材との間に配置される部分は、接着剤で覆われていることを特徴とする請求項４から６のいずれかに記載のカードリーダ。
【発明の詳細な説明】
【技術分野】
【０００１】
本発明は、カードに記録されたデータの読取りやカードへのデータの記録を行うカードリーダに関する。
【背景技術】
【０００２】
従来、カードに記録されたデータの読取りやカードへのデータの記録を行う手動式のカードリーダが知られている（たとえば、特許文献１参照）。特許文献１に記載のカードリーダは、カードの挿入口が形成される前面カバーと、カードリーダの利用者の指紋データを取得するための指紋センサとを備えている。前面カバーには、カードリーダの利用者によるカードの挿入およびカードの抜取りが可能となるように切り欠かれた切欠部が形成されている。切欠部は、カードリーダの前端から奥側に向かって切り欠かれており、左右方向における切欠部の両側は、前側に突出する突出部となっている。
【０００３】
特許文献１に記載のカードリーダでは、一方の突出部の上面に、下側に向かって窪む凹部が形成されている。指紋センサは、この凹部の底面に配置されている。また、指紋センサは、突出部の上面側で指紋センサの検出面が露出するように前面カバーに取り付けられている。このカードリーダでは、指紋センサによって読み取られた指紋データが適切な指紋データであると判断されると、カードリーダへのカードの挿入が可能になる。
【先行技術文献】
【特許文献】
【０００４】
【特許文献１】特開２０１７−１６６１７号公報
【発明の概要】
【発明が解決しようとする課題】
【０００５】
特許文献１に記載のカードリーダの場合、利用者の指が所定の押付力で指紋センサの検出面に押し付けられる。すなわち、このカードリーダの場合、指紋センサの検出面が上側から所定の力で押される。そのため、このカードリーダでは、前面カバーに取り付けられた指紋センサが前面カバーから外れるおそれがある。
【０００６】
そこで、本発明の課題は、前面カバーに取り付けられた指紋センサ等の生体認証センサの検出面に利用者の指が所定の押付力で押し付けられても、前面カバーからの生体認証センサの外れを防止することが可能なカードリーダを提供することにある。
【課題を解決するための手段】
【０００７】
上記の課題を解決するため、本発明のカードリーダは、カードに記録されたデータの読取りおよびカードへのデータの記録の少なくともいずれか一方を行うカードリーダにおいて、カードの挿入口が形成される前面カバーと、カードリーダの利用者の指先から利用者の生体認証データを取得するための生体認証センサとを備え、挿入口に挿入されたカードの厚さ方向の一方を第１方向とし、第１方向の反対方向を第２方向とすると、生体認証センサは、前面カバーの第１方向側の面で生体認証センサの検出面が露出するように前面カバーに取り付けられ、生体認証センサを第２方向側から支持する支持部材が前面カバーと一体で形成されているか、または、前面カバーと別体で形成された支持部材が前面カバーに取り付けられていることを特徴とする。
【０００８】
本発明のカードリーダでは、生体認証センサを第２方向側から支持する支持部材が前面カバーと一体で形成されているか、または、前面カバーと別体で形成され生体認証センサを第２方向側から支持する支持部材が前面カバーに取り付けられている。そのため、本発明では、前面カバーの第１方向側の面で検出面が露出するように前面カバーに取り付けられた生体認証センサの検出面に利用者の指が所定の押付力で押し付けられても、第２方向側から生体認証センサを支持する支持部材によって、前面カバーからの生体認証センサの外れを防止することが可能になる。
【０００９】
本発明において、生体認証センサは、たとえば、利用者の指紋を検出する検出面を有する指紋センサである。
【００１０】
本発明において、挿入口へのカードの挿入方向とカードの厚さ方向とに直交する方向をカードの幅方向とすると、支持部材は、カードの幅方向における生体認証センサの両端部を支持していることが好ましい。このように構成すると、生体認証センサが第２方向側から支持部材に支持されていても、カードの幅方向における生体認証センサの一端部を支持する支持部材と、カードの幅方向における生体認証センサの他端部を支持する支持部材との間にスペースを確保することが可能になる。したがって、前面カバーの内部に、生体認証センサ以外の部品を配置しやすくなる。
【００１１】
本発明において、生体認証センサの第２方向端には、生体認証センサの外周側に広がる鍔部が形成され、前面カバーには、生体認証センサの第１方向側の部分が配置される貫通穴と、貫通穴を囲むとともに鍔部の第１方向側の面が接触する接触面が形成され、支持部材は、鍔部の第２方向側の面に接触していることが好ましい。このように構成すると、鍔部の第１方向側の面が前面カバーの接触面に接触しているため、前面カバーに取り付けられた生体認証センサを第１方向側へ抜き取りにくくなる。したがって、生体認証センサの不正な抜取りを防止することが可能になる。
【００１２】
本発明において、支持部材は、前面カバーと別体で形成され、前面カバーには、支持部材の第２方向側の面が接触する第２接触面が形成されていることが好ましい。このように構成すると、支持部材が前面カバーと一体で形成されている場合と比較して、容易に、鍔部の第１方向側の面と接触面とを所定の接触圧で接触させつつ、支持部材と鍔部の第２方向側の面とを所定の接触圧で接触させることが可能になる。また、このように構成すると、支持部材の第２方向側の面が接触する第２接触面が前面カバーに形成されているため、支持部材が前面カバーと別体で形成されていても、支持部材の第２方向側へのずれを防止することが可能になり、その結果、支持部材によって第２方向側から生体認証センサを適切に支持することが可能になる。
【００１３】
本発明において、支持部材の第１方向側の面および接触面は、カードの挿入方向側に向かうにしたがって第１方向側に向かって傾斜する傾斜面となっており、支持部材の第２方向側の面および第２接触面は、カードの挿入方向側に向かうにしたがって第２方向側に向かって傾斜する傾斜面となっていることが好ましい。このように構成すると、カードの挿入方向側と反対側に向かって、支持部材を移動させることで、鍔部の第１方向側の面と接触面とを確実に接触させることが可能になるとともに、支持部材と鍔部の第２方向側の面とを確実に接触させることが可能になる。
【００１４】
本発明において、生体認証センサの第２方向側の面の、カードの幅方向における生体認証センサの一端部を支持する支持部材とカードの幅方向における生体認証センサの他端部を支持する支持部材との間に配置される部分は、接着剤で覆われていることが好ましい。このように構成すると、接着剤によって支持部材に生体認証センサを固定することが可能になるため、支持部材に第２方向側から支持される生体認証センサの状態をより安定させることが可能になる。また、このように構成すると、前面カバーに形成される貫通穴からの液体の浸入を接着剤によって防止することが可能になる。
【発明の効果】
【００１５】
以上のように、本発明のカードリーダでは、前面カバーに取り付けられた指紋センサ等の生体認証センサの検出面に利用者の指が所定の押付力で押し付けられても、前面カバーからの生体認証センサの外れを防止することが可能になる。
【図面の簡単な説明】
【００１６】
【図１】本発明の実施の形態にかかるカードリーダの斜視図である。
【図２】図１のＥ−Ｅ断面の構成を説明するための断面図である。
【図３】図１のＦ−Ｆ断面の構成を説明するための断面図である。
【図４】図１に示す生体認証センサを示す図であり、（Ａ）は平面図、（Ｂ）は正面図である。
【図５】本発明の他の実施の形態にかかる支持部材の構成を説明するための断面図である。
【発明を実施するための形態】
【００１７】
以下、図面を参照しながら、本発明の実施の形態を説明する。
【００１８】
（カードリーダの概略構成）
図１は、本発明の実施の形態にかかるカードリーダ１の斜視図である。図２は、図１のＥ−Ｅ断面の構成を説明するための断面図である。
【００１９】
本形態のカードリーダ１は、カード２に記録されたデータの読取りおよびカード２へのデータの記録の少なくともいずれか一方を行うための装置である。また、本形態のカードリーダ１は、カードリーダ１の利用者がカードリーダ１へのカード２の挿入とカードリーダ１からのカード２の抜取りとを手動で行う手動式のカードリーダである。具体的には、カードリーダ１は、カード２の挿入と抜取りとを手動で行ってデータの読取りや記録を行ういわゆるディップ式のカードリーダである。このカードリーダ１は、たとえば、ＡＴＭ等の上位装置に搭載されて使用される。
【００２０】
カード２は、たとえば、厚さが０．７〜０．８ｍｍ程度の長方形状の塩化ビニール製のカードである。カード２の裏面には、磁気データが記録される磁気ストライプが形成されている。また、カード２には、ＩＣチップが内蔵されており、カード２のおもて面には、ＩＣチップの外部接続端子が形成されている。なお、カード２には、カード２のＩＣチップと非接触で通信を行うための通信用のアンテナが内蔵されていても良い。また、カード２は、厚さが０．１８〜０．３６ｍｍ程度のＰＥＴ（ポリエチレンテレフタレート）カードや、所定の厚さの紙カード等であっても良い。
【００２１】
カードリーダ１には、カード２が挿入されるとともに排出されるカード２の挿入口３が形成されている。また、カードリーダ１には、挿入口３から挿入されたカード２が移動するカード移動路４が形成されている（図２参照）。カードリーダ１は、カード移動路４が形成される本体フレーム５と、挿入口３が形成される前面カバー（フロントベゼル）６とを備えている。
【００２２】
また、カードリーダ１は、カード２に記録された磁気データの読取りやカード２への磁気データの記録を行う磁気ヘッド７と、カード２に内蔵されるＩＣチップとデータの通信を行うための複数のＩＣ接点バネを有するＩＣ接点ブロック（図示省略）とを備えている。さらに、カードリーダ１は、カードリーダ１の利用者の指先から利用者の生体認証データを取得するための生体認証センサ８を備えている。本形態の生体認証センサ８は、利用者の指紋を読み取るための指紋センサである。したがって、以下の説明では、生体認証センサ８を「指紋センサ８」とする。
【００２３】
本形態では、手動で操作されるカード２は、図１等に示すＸ方向に移動する。具体的には、カード２は、挿入口３に対してＸ１方向に挿入され、Ｘ２方向に抜き取られる。すなわち、Ｘ１方向は、挿入口３へのカード２の挿入方向であり、Ｘ２方向は、挿入口３からのカード２の抜取り方向である。また、Ｘ方向に直交する図１等のＺ方向は、挿入口３に挿入されてカード移動路４を移動するカード２の厚さ方向であり、Ｘ方向とＺ方向とに直交する図１等のＹ方向は、カード移動路４を移動するカード２の幅方向（短手幅方向）である。
【００２４】
以下の説明では、Ｘ方向を前後方向とし、Ｙ方向を左右方向とし、Ｚ方向を上下方向とする。また、挿入口３へのカード２の挿入方向であるＸ１方向を「後ろ」方向とし、挿入口３からのカード２の抜取り方向であるＸ２方向を「前」方向とする。また、上下方向の一方であるＺ１方向を「上」方向とし、その反対方向であるＺ２方向を「下」方向とする。本形態の上方向（Ｚ１方向）は、第１方向であり、下方向（Ｚ２方向）は、第２方向である。また、本形態では、カードリーダ１は、カード２の厚さ方向（すなわち、上下方向（Ｚ方向））が鉛直方向と一致するように設置されている。
【００２５】
本体フレーム５は、カードリーダ１に挿入されたカード２の後ろ側部分が収容されるカード収容部５ａ（図１参照）と、磁気ヘッド７が配置されるヘッド配置部５ｂ（図２参照）とを備えている。ヘッド配置部５ｂは、カード収容部５ａの前端から前側に突出している。また、本体フレーム５は、カード２を案内するためのカード案内部（図示省略）を備えている。カード案内部は、カード収容部５ａの前端から前側に突出するとともに、ヘッド配置部５ｂと左右方向において間隔をあけた状態で配置されている。
【００２６】
カード移動路４は、カード収容部５ａ、ヘッド配置部５ｂおよびカード案内部に形成されている。カード収容部５ａの上面側は、ケース９によって覆われている。磁気ヘッド７は、ヘッド配置部５ｂの前端部に取り付けられている。また、磁気ヘッド７は、下側からカード移動路４に臨むように配置されている。ＩＣ接点ブロックは、カード収容部５ａに取り付けられている。
【００２７】
前面カバー６は、カードリーダ１の前面を構成している。また、前面カバー６は、本体フレーム５の前面側に配置されており、本体フレーム５の前端側部分を覆っている。前面カバー６は、ヘッド配置部５ｂを覆う第１カバー部６ａと、カード案内部を覆う第２カバー部６ｂと備えている。左右方向における第１カバー部６ａと第２カバー部６ｂとの間は、挿入口３へのカード２の挿入時および挿入口３からのカード２の抜取り時にカード２の掴み代（摘まみ代）を確保するための切欠き部６ｃとなっている。
【００２８】
第１カバー部６ａおよび第２カバー部６ｂは、中空状に形成されている。第１カバー部６ａは、左右方向の両側、上下方向の両側および前側からヘッド配置部５ｂを覆っている。第２カバー部６ｂは、左右方向の両側、上下方向の両側および前側からカード案内部を覆っている。第１カバー部６ａおよび第２カバー部６ｂの後面は、開口しており、第１カバー部６ａおよび第２カバー部６ｂには、後ろ側からヘッド配置部５ｂおよびカード案内部が挿入される。なお、第１カバー部６ａの中には、カード２に記録された磁気データの不正な読取りを防止するための妨害磁界を発生させる妨害磁界発生器１０が配置されている。
【００２９】
（指紋センサおよび指紋センサの周辺部分の構成）
図３は、図１のＦ−Ｆ断面の構成を説明するための断面図である。図４は、図１に示す指紋センサ８を示す図であり、（Ａ）は平面図、（Ｂ）は正面図である。なお、図３では、本体フレーム５等の図示を省略している。
【００３０】
指紋センサ８は、カードリーダ１の利用者の指紋を検出する検出面８ａを有する指紋センサ素子、指紋センサ素子が実装される回路基板、および、回路基板等を覆うカバー等によって構成されている。指紋センサ８は、全体として厚さが薄い扁平な直方体状に形成されている。指紋センサ８は、指紋センサ８の厚さ方向と上下方向とが略一致するように配置されている。また、指紋センサ８は、検出面８ａが上側を向くように配置されている。指紋センサ８の上面では、検出面８ａが露出している。指紋センサ８の下端には、指紋センサ８の外周側に広がる鍔部８ｂが形成されている。鍔部８ｂは、長方形の枠状に形成されるとともに平板状に形成されている。
【００３１】
前面カバー６の第１カバー部６ａの上面を構成する上面部６ｄは、後ろ側に向かうにしたがって上側に向かうようにわずかに傾斜している。上面部６ｄには、上下方向に貫通する貫通穴６ｅが形成されている。貫通穴６ｅは、長方形状に形成されている。貫通穴６ｅの中には、指紋センサ８の、鍔部８ｂよりも上側の部分が配置されている。すなわち、貫通穴６ｅには、指紋センサ８の上側部分が配置されている。指紋センサ８の、鍔部８ｂよりも上側の部分は、上面部６ｄの下側から貫通穴６ｅに挿入される。
【００３２】
上面部６ｄの下面の、貫通穴６ｅの周囲は、鍔部８ｂの上面が接触する接触面６ｆとなっている。すなわち、前面カバー６には、鍔部８ｂの上面が接触する接触面６ｆが貫通穴６ｅを囲むように形成されている。接触面６ｆは、長方形の枠状に形成されている。また、接触面６ｆは、後ろ側に向かうにしたがって上側に向かって傾斜する傾斜面となっている。指紋センサ８の検出面８ａは、第１カバー部６ａの上面で露出している。すなわち、指紋センサ８は、前面カバー６の上面で検出面８ａが露出するように前面カバー６に取り付けられている。カードリーダ１の利用者は、検出面８ａに指先を載せる。検出面８ａに指先が載ると、指紋センサ８によって指紋認証が行われる。
【００３３】
前面カバー６には、指紋センサ８を下側から支持する支持部材１２が取り付けられている。支持部材１２は、前面カバー６と別体で形成されている。また、支持部材１２は、前後方向の長さが長い略直方体に形成されている。本形態では、図３に示すように、指紋センサ８の左右方向の両端部を支持する２個の支持部材１２が前面カバー６に取り付けられている。支持部材１２は、ヘッド配置部５ｂよりも上側に配置されている。すなわち、指紋センサ８は、ヘッド配置部５ｂよりも上側に配置されている。
【００３４】
支持部材１２は、図２に示すように、上下方向の幅（高さ）が後ろ側に向かうにしたがって次第に広くなる楔形に形成されている。また、支持部材１２の上面１２ａは、後ろ側に向かうにしたがって上側に向かって傾斜する傾斜面となっており、支持部材１２の下面１２ｂは、後ろ側に向かうにしたがって下側に向かって傾斜する傾斜面となっている。
【００３５】
上述のように、支持部材１２は、指紋センサ８の左右方向の両端部を下側から支持している。すなわち、支持部材１２は、指紋センサ８の下面に接触している。具体的には、鍔部８ｂの、指紋センサ８の左右方向の両端に配置される部分の下面に、支持部材１２の上面１２ａが接触している。第１カバー部６ａの左右方向の側面を構成する側面部６ｇには、支持部材１２が嵌る凹部６ｈが形成されている。
【００３６】
凹部６ｈは、２個の側面部６ｇの左右方向の内側面から左右方向の外側に向かってわずかに窪んでいる。凹部６ｈの下面は、支持部材１２の下面１２ｂが接触する接触面６ｋとなっている。すなわち、前面カバー６には、支持部材１２の下面１２ｂが接触する第２接触面としての接触面６ｋが形成されている。接触面６ｋは、後ろ側に向かうにしたがって下側に向かって傾斜する傾斜面となっている。
【００３７】
本形態では、指紋センサ８の上側部分が貫通穴６ｅに配置された状態で、支持部材１２が、第１カバー部６ａの後ろ側から前側に向かって挿入されて、第１カバー部６ａに嵌め込まれる。上述のように、支持部材１２は楔形に形成されているため、支持部材１２が第１カバー部６ａの後ろ側から前側に向かって挿入されて第１カバー部６ａに嵌め込まれると、支持部材１２の上面１２ａは、所定の接触圧で鍔部８ｂの下面に接触し、支持部材１２の下面１２ｂは、所定の接触圧で接触面６ｋに接触する。また、鍔部８ｂの上面は、所定の接触圧で接触面６ｆに接触する。すなわち、鍔部８ｂは、支持部材１２の上面１２ａと接触面６ｆとの間に挟まれる。
【００３８】
図３に示すように、指紋センサ８の下面の、指紋センサ８の右端部を下側から支持する支持部材１２と、指紋センサ８の左端部を下側から支持する支持部材１２との間に配置される部分は、接着剤１４で覆われている。具体的には、指紋センサ８の下面の、２個の支持部材１２の間に配置される部分の全体が接着剤１４で覆われている。接着剤１４は、支持部材１２が第１カバー部６ａに取り付けられた後に、指紋センサ８の下面に塗布される。なお、接着剤１４の塗布は、指紋センサ８の下面を上側に向けた状態で行われる。
【００３９】
（本形態の主な効果）
以上説明したように、本形態では、前面カバー６に、指紋センサ８を下側から支持する支持部材１２が取り付けられている。そのため、本形態では、前面カバー６に取り付けられた指紋センサ８の検出面８ａに利用者の指が所定の押付力で押し付けられても、下側から指紋センサ８を支持する支持部材１２によって、前面カバー６からの指紋センサ８の外れを防止することが可能になる。
【００４０】
本形態では、支持部材１２は、指紋センサ８の左右方向の両端部を支持している。そのため、本形態では、指紋センサ８が下側から支持部材１２に支持されていても、指紋センサ８の右端部を支持する支持部材１２と、指紋センサ８の左端部を支持する支持部材１２との間にスペースを確保することが可能になる。したがって、本形態では、第１カバー部６ａの内部に、指紋センサ８以外の部品を配置しやすくなる。
【００４１】
本形態では、指紋センサ８の下端に鍔部８ｂが形成されており、指紋センサ８の、鍔部８ｂよりも上側の部分は、前面カバー６に形成される貫通穴６ｅの中に配置されている。また、本形態では、鍔部８ｂの上面は、前面カバー６に形成される接触面６ｆに接触している。そのため、本形態では、前面カバー６に取り付けられた指紋センサ８を上側へ抜き取りにくくなる。したがって、本形態では、指紋センサ８の不正な抜取りを防止することが可能になる。
【００４２】
本形態では、支持部材１２は、前面カバー６と別体で形成されている。そのため、本形態では、支持部材１２が前面カバー６と一体で形成されている場合と比較して、容易に、鍔部８ｂの上面と接触面６ｆとを所定の接触圧で接触させつつ、支持部材１２の上面１２ａと鍔部８ｂの下面とを所定の接触圧で接触させることが可能になる。また、本形態では、支持部材１２の下面１２ｂは、前面カバー６に形成される接触面６ｋに接触しているため、支持部材１２が前面カバー６と別体で形成されていても、支持部材１２の下側へのずれを防止することが可能になり、その結果、支持部材１２によって下側から指紋センサ８を適切に支持することが可能になる。
【００４３】
本形態では、支持部材１２の上面１２ａおよび接触面６ｆは、後ろ側に向かうにしたがって上側に向かって傾斜する傾斜面となっており、支持部材１２の下面１２ｂおよび接触面６ｋは、後ろ側に向かうにしたがって下側に向かって傾斜する傾斜面となっている。そのため、本形態では、上述のように、第１カバー部６ａの後ろ側から支持部材１２を前側に向かって挿入すれば、鍔部８ｂの上面と接触面６ｆとを所定の接触圧で確実に接触させることが可能になるとともに、支持部材１２の上面１２ａと鍔部８ｂの下面とを所定の接触圧で確実に接触させることが可能になる。
【００４４】
本形態では、指紋センサ８の下面の、２個の支持部材１２の間に配置される部分は、接着剤１４で覆われている。そのため、本形態では、接着剤１４によって支持部材１２に指紋センサ８を固定することが可能になる。したがって、本形態では、支持部材１２に下側から支持される指紋センサ８の状態をより安定させることが可能になる。また、本形態では、貫通穴６ｅからの液体の浸入を接着剤１４によって防止することが可能になる。
【００４５】
（他の実施の形態）
上述した形態は、本発明の好適な形態の一例ではあるが、これに限定されるものではなく本発明の要旨を変更しない範囲において種々変形実施が可能である。
【００４６】
上述した形態において、指紋センサ８を下側から支持する支持部材１２は、図５に示すように、前面カバー６と一体で形成されていても良い。具体的には、支持部材１２は、第１カバー部６ａと一体で形成されていても良い。この場合には、たとえば、図５に示すように、支持部材１２は、指紋センサ８の左右方向の両端部を下側から支持している。また、たとえば、図５に示すように、第１カバー部６ａには、指紋センサ８の鍔部８ｂを上側から押える押え部材１６が固定されている。押え部材１６は、前面カバー６と別体で形成され、接着等によって第１カバー部６ａに固定されている。また、第１カバー部６ａには、鍔部８ｂが配置される凹部６ｐと、押え部材１６が配置される凹部６ｒとが形成されている。
【００４７】
なお、支持部材１２が前面カバー６と一体で形成されている場合に、上述した形態と同様に、鍔部８ｂの上面が接触面６ｆに接触していても良い。また、支持部材１２が前面カバー６と一体で形成されているのか、それとも、別体で形成されているのかにかかわらず、支持部材１２は、指紋センサ８の全体を下側から支持していても良い。
【００４８】
上述した形態において、指紋センサ８に鍔部８ｂが形成されていなくても良い。この場合には、たとえば、図５に示すように、指紋センサ８を下側から支持する支持部材１２が前面カバー６と一体で形成されるとともに、指紋センサ８を上側から押える押え部材が第１カバー部６ａに固定されている。また、上述した形態において、支持部材１２の上面１２ａと下面１２ｂとが平行になっていても良い。すなわち、支持部材１２は、楔形に形成されていなくても良い。
【００４９】
上述した形態において、指紋センサ８の下面の、２個の支持部材１２の間に配置される部分の一部が接着剤１４で覆われていても良い。また、上述した形態において、指紋センサ８の下面は、接着剤１４で覆われていなくても良い。また、上述した形態において、カードリーダ１は、カード２の厚さ方向が水平方向と一致するように設置されていても良いし、カード２の厚さ方向が鉛直方向および水平方向に対して傾いた状態で設置されていても良い。
【００５０】
上述した形態において、カードリーダ１は、指紋センサ８に代えて、カードリーダ１の利用者の指先の静脈パターンを読み取る静脈センサを備えていても良い。すなわち、カードリーダ１の利用者の指先から利用者の生体認証データを取得するための生体認証センサ８は、静脈センサであっても良い。また、上述した形態において、カードリーダ１は、カード２の搬送機構を有するカード搬送式のカードリーダであっても良い。
【符号の説明】
【００５１】
１  カードリーダ
２  カード
３  挿入口
６  前面カバー
６ｅ  貫通穴
６ｆ  接触面
６ｋ  接触面（第２接触面）
８  指紋センサ（生体認証センサ）
８ａ  検出面
８ｂ  鍔部
１２  支持部材
１２ｂ  下面（支持部材の第２方向側の面）
１４  接着剤
Ｘ１  カードの挿入方向
Ｙ  カードの幅方向
Ｚ  カードの厚さ方向
Ｚ１  第１方向
Ｚ２  第２方向
【図１】
2020091599.tif 000003
【図２】
2020091599.tif 000004
【図３】
2020091599.tif 000005
【図４】
2020091599.tif 000006
【図５】
2020091599.tif 000007